(57)【要約】【課題】  被験体によらず、定量的に生体の状態を鑑別することが可能な生体状態鑑別用装置を提供する。【解決手段】  生体状態鑑別用装置１は、レーザ血流計などの血流量測定手段２により、生体の細動脈の血流量を無侵襲で測定する。血流量測定手段２により所定時間内において測定された複数の測定値の標準偏差値をＳＤ、前記複数の測定値の平均値をＭｅａｎとする。生体状態鑑別用装置１の制御部４は、ＳＤ／Ｍｅａｎと相関のあるパラメータを演算する。制御部４は、演算されたパラメータに基づいて、生体の状態を鑑別する。【選択図】    図１
2008154804.tif 000002
【特許請求の範囲】
【請求項１】
生体の状態の鑑別に用いられる生体状態鑑別用装置であって、
生体の血流量を測定する血流量測定手段により所定時間内において測定された複数の測定値の標準偏差値をＳＤ、前記複数の測定値の平均値をＭｅａｎとすると、ＳＤ／Ｍｅａｎと相関のあるパラメータを演算する演算手段を備えることを特徴とする生体状態鑑別用装置。
【請求項２】
前記演算手段は、ＳＤ／Ｍｅａｎに１００を乗算することにより百分率で表したパラメータを演算することを特徴とする請求項１に記載の生体状態鑑別用装置。
【請求項３】
前記演算手段により演算されたパラメータに基づいて、生体の状態を鑑別する鑑別手段を更に備えることを特徴とする請求項１又は２に記載の生体状態鑑別用装置。
【請求項４】
前記鑑別手段は、前記パラメータの値に基づいて、生体がストレス過剰であるかどうかを鑑別することを特徴とする請求項３に記載の生体状態鑑別用装置。
【請求項５】
前記鑑別手段は、前記パラメータの値に基づいて、生体が糖尿病であるかどうか、或いは、糖尿病に合併症を併発しているかどうかを鑑別することを特徴とする請求項３に記載の生体状態鑑別用装置。
【請求項６】
前記鑑別手段は、前記パラメータの値に基づいて、生体が糖尿病又は高血圧症であるかどうかを鑑別することを特徴とする請求項３に記載の生体状態鑑別用装置。
【請求項７】
前記鑑別手段は、前記パラメータの値に基づいて、生体が動脈硬化症又は虚血肢であるかどうかを鑑別することを特徴とする請求項３に記載の生体状態鑑別用装置。
【請求項８】
前記鑑別手段は、第１の所定時間内において測定された複数の測定値を用いて演算された前記パラメータの推移と、前記第１の所定時間よりも長い第２の所定時間内において測定された複数の測定値を用いて演算された前記パラメータと、に基づいて鑑別を行うことを特徴とする請求項３乃至７の何れか一項に記載の生体状態鑑別用装置。
【請求項９】
前記演算手段による演算結果、又は、前記演算結果を加工したデータを表示する表示装置を更に備えることを特徴とする請求項１乃至８の何れか一項に記載の生体状態鑑別用装置。
【請求項１０】
前記血流量測定手段を更に備えることを特徴とする請求項１乃至９の何れか一項に記載の生体状態鑑別用装置。
【請求項１１】
前記血流量測定手段は、無侵襲で生体の血流量を測定する装置からなることを特徴とする請求項１０に記載の生体状態鑑別用装置。
【請求項１２】
前記血流量測定手段は、生体の細動脈の血流量を測定する装置からなることを特徴とする請求項１０又は１１に記載の生体状態鑑別用装置。
【請求項１３】
前記血流量測定手段は、レーザ血流計、微弱強度の超音波を用いる超音波血流計、又は、光電式脈波計からなり、無侵襲で生体の細動脈の血流量を測定することを特徴とする請求項１０に記載の生体状態鑑別用装置。
【請求項１４】
前記血流量測定手段は、
生体組織にレーザ光を照射するレーザ光源と、
前記レーザ光源により照射されるレーザ光が生体組織内で散乱することによって生じる散乱光を検出する検出手段と、
生体組織を挟持する挟持部と、
前記挟持部により挟持された生体組織を所定圧力で加圧する加圧機構と、
を備えるレーザ血流計であり、
前記挟持部を構成するうちで、測定の際に生体組織に対し一方の側となる部分には前記レーザ光源が配置され、他方の側となる部分には前記検出手段が配置されたことにより、レーザ光が前方散乱した散乱光を前記検出手段によって検出するように構成され、
前記挟持部により生体組織を挟持し該生体組織を前記加圧機構により所定圧力に加圧した状態で前記検出手段により検出される散乱光に基づいて、血流量を測定することを特徴とする請求項１３に記載の生体状態鑑別用装置。
【請求項１５】
前記血流量測定手段は、
生体組織にレーザ光を照射するレーザ光源と、
前記レーザ光源により照射されるレーザ光が生体組織内で後方散乱した散乱光を検出する検出手段と、
前記レーザ光源及び前記検出手段が設けられ、生体の一部に巻き付けられるバンド状体と、
前記バンド状体が巻かれた部位を所定圧力で加圧する加圧機構と、
を備えるレーザ血流計であり、
前記バンド状体を生体の一部に巻き付けることにより、前記レーザ光源及び前記検出手段が生体組織に向かうように構成され、
前記バンド状体を生体の一部に巻き付け、前記バンド状体が巻かれた部位を前記加圧機構により所定圧力で加圧した状態で、前記検出手段により検出される散乱光に基づいて血流量を測定することを特徴とする請求項１３に記載の生体状態鑑別用装置。
【請求項１６】
生体組織にレーザ光を照射するレーザ光源と、
前記レーザ光源により照射されるレーザ光が生体組織内で散乱することによって生じる散乱光を検出する検出手段と、
生体組織を挟持する挟持部と、
前記挟持部により挟持された生体組織を所定圧力で加圧する加圧機構と、
を備え、
前記挟持部を構成するうちで、測定の際に生体組織に対し一方の側となる部分には前記レーザ光源が配置され、他方の側となる部分には前記検出手段が配置されたことにより、レーザ光が前方散乱した散乱光を前記検出手段によって検出するように構成され、
前記挟持部により生体組織を挟持し該生体組織を前記加圧機構により所定圧力に加圧した状態で前記検出手段により検出される散乱光に基づいて、血流量を測定することを特徴とするレーザ血流計。
【請求項１７】
生体組織にレーザ光を照射するレーザ光源と、
前記レーザ光源により照射されるレーザ光が生体組織内で後方散乱した散乱光を検出する検出手段と、
前記レーザ光源及び前記検出手段が設けられ、生体の一部に巻き付けられるバンド状体と、
前記バンド状体が巻かれた部位を所定圧力で加圧する加圧機構と、
を備え、
前記バンド状体を生体の一部に巻き付けることにより、前記レーザ光源及び前記検出手段が生体組織に向かうように構成され、
前記バンド状体を生体の一部に巻き付け、前記バンド状体が巻かれた部位を前記加圧機構により所定圧力で加圧した状態で、前記検出手段により検出される散乱光に基づいて血流量を測定することを特徴とするレーザ血流計。
【発明の詳細な説明】
【技術分野】
【０００１】
本発明は、生体状態鑑別用装置及びレーザ血流計に関する。
【背景技術】
【０００２】
従来、生体のストレスや病態の鑑別は、例えば、採血データや、唾液などの体液データといった単発的な情報解析と、心拍又は脈拍のＲ−Ｒ間隔による情報の解析により行われている。
【０００３】
例えば、特許文献１には、生体の循環動態（血流など）を測定する装置において、生体の発汗を検出する発汗センサを用いて生体のストレスや緊張や興奮度合いを検出し、検出されたストレスや緊張や興奮度合いを考慮して循環動態の検出値を補正する技術が開示されている。
【０００４】
また、例えばレーザ血流計を用いた従来の生体の状態の鑑別は、被験者毎のデータを比較する事により、相対的な差又は変化を基に比較し個人のレベルで鑑別を行っていた。すなわち、被験者Ａの状態の鑑別は、例えば、被験者Ａから得られた過去のデータと新たに得られたデータとを比較することにより、行われていた。
【特許文献１】特開２００３−２１０４２６号公報
【発明の開示】
【発明が解決しようとする課題】
【０００５】
しかしながら、レーザ血流計により測定されるサンプルボリュームは極めて小さく、例えば長径が１ｍｍ〜３ｍｍの半長球である。そして、このサンプルボリュームにおける血流量を測定する。
【０００６】
このため、測定対象となる組織中の血流量は被験者毎に異なり、しかも、同じ被験者でも身体の部位によって異なってしまう。
【０００７】
従って、従来は、複数の被験者における定量的な比較によって各被験者の生体状態を鑑別することが困難であるという問題があった。
【０００８】
また、従来は、例えば、鑑別者（医師など）が、被験者の血流動態が安定しているか不安定であるかを判断する手法であったため、鑑別結果が主観的となりがちであった。
【０００９】
加えて、血流計のセンサ部分の装着圧力の加減により、サンプルボリューム内の組織血液量は変化してしまうため、同一被験者における測定であっても、装着に工夫が必要であった。
【００１０】
本発明は、上記のような問題点を解決するためになされたもので、被験体（被験者など）によらず、定量的に生体状態を鑑別することが可能な生体状態鑑別用装置及びレーザ血流計を提供することを目的とする。
【００１１】
また、好ましくは、血流計のセンサ部分の装着圧力を一定にすることが可能な生体状態鑑別用装置及びレーザ血流計を提供することを目的とする。
【課題を解決するための手段】
【００１２】
上記課題を解決するため、本発明の生体状態鑑別用装置は、生体の状態の鑑別に用いられる生体状態鑑別用装置であって、生体の血流量を測定する血流量測定手段により所定時間内において測定された複数の測定値の標準偏差値をＳＤ、前記複数の測定値の平均値をＭｅａｎとすると、ＳＤ／Ｍｅａｎと相関のあるパラメータを演算する演算手段を備えることを特徴としている。
【００１３】
ＳＤ／Ｍｅａｎと相関のあるパラメータは、ＳＤ／Ｍｅａｎと正の相関のあるパラメータであっても良いし、ＳＤ／Ｍｅａｎと負の相関のあるパラメータであっても良い。
【００１４】
本発明の生体状態鑑別用装置においては、前記演算手段は、ＳＤ／Ｍｅａｎに１００を乗算することにより百分率で表したパラメータを演算することが好ましい。
【００１５】
本発明の生体状態鑑別用装置においては、前記演算手段により演算されたパラメータに基づいて、生体の状態を鑑別する鑑別手段を更に備えることが好ましい。
【００１６】
前記鑑別手段は、一例として、前記パラメータの値に基づいて、生体がストレス過剰であるかどうかを鑑別する。
【００１７】
また、前記鑑別手段は、一例として、前記パラメータの値に基づいて、生体が糖尿病であるかどうか、或いは、糖尿病に合併症を併発しているかどうかを鑑別する。
【００１８】
また、前記鑑別手段は、一例として、前記パラメータの値に基づいて、生体が糖尿病又は高血圧症であるかどうかを鑑別する。
【００１９】
また、前記鑑別手段は、一例として、前記パラメータの値に基づいて、生体が動脈硬化症又は虚血肢であるかどうかを鑑別する。
【００２０】
また、前記鑑別手段は、第１の所定時間内において測定された複数の測定値を用いて演算された前記パラメータの推移と、前記第１の所定時間よりも長い第２の所定時間内において測定された複数の測定値を用いて演算された前記パラメータと、に基づいて鑑別を行うことが好ましい。
【００２１】
本発明の生体状態鑑別用装置においては、前記演算手段による演算結果、又は、前記演算結果を加工したデータを表示する表示装置を更に備えることが好ましい。
【００２２】
本発明の生体状態鑑別用装置においては、前記血流量測定手段を更に備えることが好ましい。
【００２３】
前記血流量測定手段は、無侵襲で生体の血流量を測定する装置からなることが好ましい。
【００２４】
前記血流量測定手段は、生体の細動脈の血流量を測定する装置からなることが好ましい。
【００２５】
前記血流量測定手段は、レーザ血流計、微弱強度の超音波を用いる超音波血流計、又は、光電式脈波計からなり、無侵襲で生体の細動脈の血流量を測定することがより好ましい。
【００２６】
前記血流量測定手段は、具体的には、例えば、生体組織にレーザ光を照射するレーザ光源と、前記レーザ光源により照射されるレーザ光が生体組織内で散乱することによって生じる散乱光を検出する検出手段と、生体組織を挟持する挟持部と、前記挟持部により挟持された生体組織を所定圧力で加圧する加圧機構と、を備えるレーザ血流計であり、前記挟持部を構成するうちで、測定の際に生体組織に対し一方の側となる部分には前記レーザ光源が配置され、他方の側となる部分には前記検出手段が配置されたことにより、レーザ光が前方散乱した散乱光を前記検出手段によって検出するように構成され、前記挟持部により生体組織を挟持し該生体組織を前記加圧機構により所定圧力に加圧した状態で前記検出手段により検出される散乱光に基づいて、血流量を測定するものであることが好ましい一例である。
【００２７】
或いは、前記血流量測定手段は、生体組織にレーザ光を照射するレーザ光源と、前記レーザ光源により照射されるレーザ光が生体組織内で後方散乱した散乱光を検出する検出手段と、前記レーザ光源及び前記検出手段が設けられ、生体の一部に巻き付けられるバンド状体と、前記バンド状体が巻かれた部位を所定圧力で加圧する加圧機構と、を備えるレーザ血流計であり、前記バンド状体を生体の一部に巻き付けることにより、前記レーザ光源及び前記検出手段が生体組織に向かうように構成され、前記バンド状体を生体の一部に巻き付け、前記バンド状体が巻かれた部位を前記加圧機構により所定圧力で加圧した状態で、前記検出手段により検出される散乱光に基づいて血流量を測定するものであることも好ましい。
【００２８】
また、本発明に係るレーザ血流計は、生体組織にレーザ光を照射するレーザ光源と、前記レーザ光源により照射されるレーザ光が生体組織内で散乱することによって生じる散乱光を検出する検出手段と、生体組織を挟持する挟持部と、前記挟持部により挟持された生体組織を所定圧力で加圧する加圧機構と、を備え、前記挟持部を構成するうちで、測定の際に生体組織に対し一方の側となる部分には前記レーザ光源が配置され、他方の側となる部分には前記検出手段が配置されたことにより、レーザ光が前方散乱した散乱光を前記検出手段によって検出するように構成され、前記挟持部により生体組織を挟持し該生体組織を前記加圧機構により所定圧力に加圧した状態で前記検出手段により検出される散乱光に基づいて、血流量を測定することを特徴としている。
【００２９】
また、本発明に係るレーザ血流計は、生体組織にレーザ光を照射するレーザ光源と、前記レーザ光源により照射されるレーザ光が生体組織内で後方散乱した散乱光を検出する検出手段と、前記レーザ光源及び前記検出手段が設けられ、生体の一部に巻き付けられるバンド状体と、前記バンド状体が巻かれた部位を所定圧力で加圧する加圧機構と、を備え、前記バンド状体を生体の一部に巻き付けることにより、前記レーザ光源及び前記検出手段が生体組織に向かうように構成され、前記バンド状体を生体の一部に巻き付け、前記バンド状体が巻かれた部位を前記加圧機構により所定圧力で加圧した状態で、前記検出手段により検出される散乱光に基づいて血流量を測定することを特徴としている。
【発明の効果】
【００３０】
本発明によれば、演算手段により演算されたＳＤ／Ｍｅａｎと相関のあるパラメータを用いて、生体の状態（ストレス過剰であるかどうか、糖尿病であるかどうか、糖尿病に合併症を併発しているかどうか、糖尿病又は高血圧症であるかどうか、動脈硬化症又は虚血肢であるかどうかなど）を鑑別することができるので、被験体（被験者など）によらず、定量的に生体状態を鑑別することが可能となる。
【００３１】
このような鑑別は、演算手段による演算結果、又は、演算結果を加工したデータを表示する表示装置を更に備えることとすれば、その表示内容に基づいて、一層容易に鑑別を行うことができるようになる。
【００３２】
また、演算手段により演算されたパラメータに基づいて生体の状態を鑑別する鑑別手段を更に備えることとすれば、パラメータに基づく生体の状態の鑑別を自動的に行うことが可能となる。
【００３３】
また、前方散乱型で、挟持部により生体組織を挟持する構成のレーザ血流計において、挟持部により生体組織を挟持し該生体組織を加圧機構により所定圧力に加圧した状態で血流量を測定する構成とすることにより、再現性よく血流を測定することが可能となり、生体の状態の鑑別をより好適に行うことが可能となる。
【００３４】
或いは、後方散乱型で、生体の一部に巻き付けられるバンド状体にレーザ光源及び検出手段が設けられたレーザ血流計において、バンド状体を生体の一部に巻き付け、バンド状体が巻かれた部位を加圧機構により所定圧力で加圧した状態で、血流量を測定する構成とすることにより、再現性よく血流を測定することが可能となり、生体の状態の鑑別をより好適に行うことが可能となる。
【発明を実施するための最良の形態】
【００３５】
本実施形態では、血流計により連続的に測定された値を定量化するために、例えば、血流量の標準偏差値（ＳＤ）を平均値（Ｍｅａｎ）で除して得られる値に１００を乗算することにより百分率で表されたパラメータをＳｔａｂｉｌｉｔｙ  Ｉｎｄｅｘ（ＳＩ）とし、このパラメータを用いることにより、個々の生体（例えば被験者）によらず定量的に生体の状態を鑑別することが可能な生体状態鑑別用装置について説明する。
【００３６】
また、本実施形態では、レーザ血流計のセンサ部に空圧式加圧機構を組み込むことと、このセンサ部を皮膚表面に対し両面テープを用いて接着することにより、生体組織への装着条件を一定にし、再現性の良い測定を可能とした生体状態鑑別用装置について説明する。
【００３７】
以下、図面を参照して、本発明に係る実施形態について説明する。
【００３８】
図１は本実施形態に係る生体状態鑑別用装置１の構成を示すブロック図である。
【００３９】
図１に示すように、本実施形態に係る生体状態鑑別用装置１は、例えば、生体（例えば人体）の血流量を測定するレーザ血流計（血流量測定手段）２と、各種の表示動作を行う表示装置７と、各種の報知動作を行う報知部８と、このレーザ血流計２による測定値を用いた各種演算、各種鑑別及び各種制御を行う制御部４と、を備えて構成されている。
【００４０】
報知部８は、例えば、報知音を出力するスピーカやランプなどの発光部からなる。
【００４１】
なお、レーザ血流計２に代えて、微弱強度の超音波を用いて血流値を測定する超音波血流計や、光電式脈波計を適用することとしても良い。
【００４２】
生体状態鑑別用装置１において、レーザ血流計２、微弱強度の超音波による超音波血流計、或いは光電式脈波計を使用する所以は、これらの血流計は、無侵襲の特性を有しているためである。
【００４３】
なお、レーザ血流計２においては、生体内で光散乱し易い、例えば、波長１．３μｍ〜０．５μｍまでのレーザ光を用いることにより、生体内で散乱されたレーザ光を体外へと放出させることができるので、好適に長時間の測定に使用することができる。
【００４４】
本実施形態の場合、レーザ血流計２は、例えば、生体の血流量を検出するセンサ部１０と、このセンサ部１０の動作制御及び該センサ部１０による検出結果を用いた生体の血流量の演算を行う制御・演算部３０と、を備えている。
【００４５】
このレーザ血流計２は、無侵襲で、且つ、連続的に（制御・演算部３０により非常に短い時間周期（例えば２０ミリ秒程度）で繰り返し測定値が演算されるため、実質的に連続的に）、生体の血流量を測定することが可能である。
【００４６】
しかも、このレーザ血流計２は、細動脈・細静脈レベルでの微小循環において、生体の血流量を測定することができる（つまり、検出感度に優れている）。
【００４７】
このレーザ血流計２のセンサ部１０としては、例えば、特開２００５−１９２８０７号公報に記載された何れかのタイプのレーザ血流計のセンサ部を用いることとしても良いが、後述するセンサ部（図７及び図８に示すセンサ部１０、或いは、図９及び図１０に示すセンサ部１０）を用いる方が、より好適である。
【００４８】
また、制御・演算部３０は、センサ部１０により検出される散乱光のパワースペクトラムに基づいて血流量を演算する。すなわち、制御・演算部３０は、センサ部１０からの検出信号にＡ／Ｄ変換を施し、該Ａ／Ｄ変換された検出信号に基づいて血流値の演算を行う。さらに、制御・演算部３０は、このように演算された結果を、制御部４に送信する。つまり、制御部４には、制御・演算部３０が血流血を新たに演算する度に、該制御・演算部３０から血流量の測定値（制御・演算部３０により測定された血流量）が入力される。
【００４９】
なお、制御・演算部３０は、特開２００５−１９２８０７号公報における制御・演算部３０と同様であり、詳細な説明は省略する。
【００５０】
制御部４は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）により構成され、各種の演算、鑑別を行う。
【００５１】
更に、制御部４は、レーザ血流計２、表示装置７及び報知部８の動作制御を行う。
【００５２】
なお、制御部４は、この例に限らず、例えばＤＳＰ（Ｄｉｇｉｔａｌ  Ｓｉｇｎａｌ  Ｐｒｏｃｅｓｓｏｒ）、ＰＤＡ（Ｐｅｒｓｏｎａｌ  Ｄｉｇｉｔａｌ  Ａｓｓｉｓｔａｎｔ）或いはＰＣ（Ｐｅｒｓｏｎａｌ  Ｃｏｍｐｕｔｅｒ）等により構成されていても良い。
【００５３】
この制御部４は、レーザ血流計２から入力される血流量の測定値を記憶部（例えばＲＡＭ）に随時記憶する一方で、例えば、該記憶部の記憶内容に基づいて、後述するような所定の演算を行い、その演算結果に応じて、以下に説明するように生体の状態の鑑別を行う。
【００５４】
ここで、頭部及び脳血流の安定化の機序は、LASSEN NA.などの報告(Cerebral blood flow and oxygen consumption in man. Physiol Rev. 1959 Apr;39(2):183-238.）により、脳血流は、平均動脈圧が60mmHg以下150mmHg以上の場合は平均動脈圧と正相関を持ち、血圧の変動に対しパラレルに変化するが、60mmHg〜150mmHgの範囲内では、一定に維持されるようコントロールされていることが報告されている。
【００５５】
また、佐藤・庭山などのレーザ血流計を用いた報告(Analysis of Hemodynamics During Blood Purification Therapy Using a Newly Developed Noninvasive Continuous Monitoring Method .  Therapeutic Apheresisand Dialysis.Vol 10:P380-August 2006)では、疾患を持たない健常者における頭部耳朶血流は一定に維持されるが、平均動脈圧が60mmHg未満となるようなショック時においては、頭部耳朶血流と平均動脈血圧は正相関し、互いにパラレルに変化することを報告している。
【００５６】
これらの報告の頭部血流の安定化は、人及び哺乳類にとって重要臓器である脳を保護するために交感神経系と副交感神経の２重支配により制御されていることに起因することが、刈田などのレーザ血流計を用いた確認実験により報告（J.Physiol. ,450,191,1992）されている。
【００５７】
これらのことに鑑み、生体状態鑑別用装置１は、例えば、頭部血流の変動を継続的に無侵襲で監視し、その監視結果に基づいて生体の状態を鑑別する。
【００５８】
次に、上下肢における細動脈血流の変化は、交感神経の支配を受け、血圧の調整因子として働くことが、Wiederhielm（Am. j. Physiol. 225, 992/996 (1973)などにも報告されている。
【００５９】
また、畑中・老籾らの報告（糖尿病患者の微小循環恒常性の測定とその臨床的意義  臨床病理  1986 Vol.34 No,3 343-347）では、レーザ血流計を使用し血流の安定性より糖尿病の鑑別ができることが報告されている。
【００６０】
すなわち、細動脈血流は、生体情報を的確に現す指標であることが証明されている。
【００６１】
制御部４は、具体的には、例えば、所定時間Ｔ内においてレーザ血流計２により随時測定される血流量の複数の測定値の標準偏差（ＳＤ）と、これら複数の測定値の平均値（Ｍｅａｎ）とを演算する。
【００６２】
更に、制御部４は、（ＳＤ／Ｍｅａｎ）×１００を演算する。すなわち、制御部４は、ＳＤ／Ｍｅａｎに１００を乗算することにより百分率で表したパラメータを演算する。このパラメータを、Ｓｔａｂｉｌｉｔｙ  Ｉｎｄｅｘ（ＳＩ）とする。
【００６３】
また、制御部４は、ＳＩの経時的な推移を表す曲線（以下、トレンド曲線；図３〜図６の曲線Ｌ１、Ｌ２、Ｌ３、Ｌ５参照）を表示装置７に表示させる。
【００６４】
表示装置７におけるＳＩのトレンド曲線の表示は、例えば、新たにＳＩが演算される毎に（所定時間Ｔ毎に）随時更新する。
【００６５】
このように、表示装置７には、随時更新される最新のトレンド曲線が、リアルタイムに表示される。
【００６６】
更に、制御部４は、ＳＩのトレンド曲線や、ＳＩの値に基づいて、生体の状態を鑑別する。
【００６７】
ここで、目的に応じて平均値（Ｍｅａｎ）及び標準偏差値（ＳＤ）の時間分解能を変えることにより（すなわち、目的に応じて上記所定時間Ｔを変更することにより）、様々な鑑別を行うことができる。
【００６８】
具体的には、例えば、上記所定時間Ｔを長時間（例えば、０．５時間〜８時間：第２の所定時間）とすることにより、ストレスの度合いや病態の鑑別を行うことができる。
【００６９】
また、例えば、上記所定時間Ｔを短時間（例えば、５秒間〜３００秒間：第１の所定時間）とすることにより、被験者の病態の重篤度合いやストレスの度合いをリアルタイムで鑑別することができる。
【００７０】
更に、上記所定時間Ｔを短時間（例えば、５秒間〜３００秒間）とした場合には、例えば、ＳＩが所定の閾値（例えば、１０）以上となった場合に、報知部８に報知動作を行わせることにより、重篤な状況を報知することができる。
【００７１】
図２は制御部４の動作の流れを示すフローチャートである。
【００７２】
レーザ血流計２により測定された血流量のデータ（血流データ）は、随時、制御部４に入力される（ステップＳ１）。
【００７３】
血流データは、鑑別のサンプル時間（上記所定時間Ｔ）を選択する切り替え処理（ステップＳ２）に応じて、短時間サンプル（上記のように、例えば、５秒間〜３００秒間）と長時間サンプル（上記のように、例えば、０．５時間〜８時間）のそれぞれに必要に応じて用いられ、各々のサンプル条件にてＳＩの演算が行われる。
【００７４】
短時間サンプル（５秒〜３００秒の間に得られた複数の測定値）を用いたＳＩの演算では、先ず、短時間（５秒間〜３００秒間）に得られた複数の測定値の平均値（Ｍｅａｎ）と標準偏差（ＳＤ）とを演算し、更に、このＳＤをＭｅａｎで除したものに１００を乗算することにより、百分率で表されたＳＩを演算する（ステップＳ４）。
【００７５】
次に、短時間サンプル（５秒間〜３００秒間に得られた複数の測定値）を用いた演算により求められたＳＩに基づいて、短時間鑑別を行う。すなわち、病態の重篤度合いやストレスの度合いを鑑別する（ステップＳ４）。
【００７６】
更に、ステップＳ４での鑑別結果を表示装置７に表示させたり、或いは、必要に応じて報知部８から警報出力を行わせる。なお、病態の重篤度合いやストレスの度合いは、間欠的（所定時間Ｔ毎に）最新のものを表示装置７に表示させる（間欠鑑別表示）（ステップＳ５）。
【００７７】
同様に、長時間サンプル（０．５時間〜８時間の間に得られた複数の測定値）を用いたＳＩの演算では、先ず、長時間（０．５時間〜８時間）に得られた複数の測定値の平均値（Ｍｅａｎ）と標準偏差（ＳＤ）とを演算し、更に、このＳＤをＭｅａｎで除したものに１００を乗算することにより、百分率で表されたＳＩを演算する（ステップＳ６）。
【００７８】
次に、長時間サンプル（０．５時間〜８時間の間に得られた複数の測定値）を用いた演算により求められたＳＩに基づいて、ＳＩ総合鑑別を行う。すなわち、病態の重篤度合いやストレスの度合いを鑑別する（ＳＩ総合鑑別）（ステップＳ７）。
【００７９】
更に、ステップＳ７での鑑別結果を表示装置７に表示させる（総合鑑別表示）（ステップＳ８）。
【００８０】
次に、例として、健常成人男子を被験者とし、その被験者の頭部血流（例えば、耳朶の血流）の長時間サンプルを用いて演算されたＳＩの値と、その短時間サンプルを用いて得られたＳＩのトレンドを示す曲線Ｌ１と、を表示した表示装置７の表示画面の例を図３に示す。
【００８１】
図３に示すように、約２時間に亘る測定の結果、声掛けによるストレスを被験者に加えたサンプル区間Ａと、ストレスを加えていない安静なサンプル区間Ｂの両者間に有意な差が生じる。
【００８２】
すなわち、サンプル区間Ａでは長時間サンプルＳＩの値は１６．６と高く、サンプル区間Ｂでは長時間サンプルＳＩの値は３．５と低くなった。
【００８３】
また、短時間サンプルＳ１のトレンド曲線Ｌ１は、サンプル区間Ａでは比較的高いレベルで推移したのに対し、サンプル区間Ｂでは比較的低いレベルで推移した。
【００８４】
これらのことから、ストレスも無く健常な状態（サンプル区間Ｂに相当）であれば、頭部のＳＩ値は短時間サンプルのトレンド及び長時間サンプルの値がともに低い値となることが分かる。
【００８５】
従って、ＳＩの値に基づいてストレスの度合いを鑑別することが可能であるといえる。
【００８６】
すなわち、制御部４は、ＳＩの値に基づいて、例えば、生体のストレスの度合いを鑑別する。
【００８７】
次に、若干の脅迫性障害（ＯＣＤ）を有した成人女性を被験者とし、その被験者の頭部血流（例えば、耳朶の血流）の長時間サンプルを用いて演算されたＳＩの値と、その短時間サンプルを用いて得られたＳＩのトレンドを示す曲線Ｌ２と、を表示した表示装置７の表示画面の例を図４に示す。
【００８８】
この場合、図４に示すように、約２時間に亘る測定の結果、声掛けによるストレスを被験者に加えたサンプル区間Ａと、ストレスを加えていない安静なサンプル区間Ｂでは、有意な差が生じない。
【００８９】
すなわち、サンプル区間Ａでは長時間サンプルＳＩの値は１８．８と高く、サンプル区間Ｂでも長時間サンプルＳＩの値は２１．２と高かった。
【００９０】
また、短時間サンプルＳ１のトレンド曲線Ｌ２は、サンプル区間Ｂでも低下しなかった。
【００９１】
このように、若干の脅迫性障害を有した被験者の場合、声掛けにおけるストレスを加えたサンプル区間Ａとストレスを加えていない安静なサンプル区間Ｂとでは、ＳＩ値の変化は見られず、安静常態を保ったとしても（サンプル区間Ｂでも）心因性のストレスが常時掛かるため、ＳＩ値は高い値となることが分かる。
【００９２】
次に、健常成人男子を被験者とし、その被験者の下肢血流（例えば、足の血流）の長時間サンプルを用いて演算されたＳＩの値と、その短時間サンプルを用いて得られたＳＩのトレンドを示す曲線Ｌ３と、血圧（平均動脈圧）の変化を示す曲線Ｌ４と、を表示した表示装置７の表示画面の例を図５に示す。
【００９３】
図５に示すように、約２時間に亘る測定の結果、声掛けによるストレスを被験者に加えたサンプル区間Ａと、ストレスを加えていない安静なサンプル区間Ｂの両者間に有意な差が生じる。
【００９４】
すなわち、図５に示すように、サンプル区間Ａでは長時間サンプルＳＩの値は３９．４と高く、サンプル区間Ｂでは長時間サンプルＳＩの値は２０．９と比較的低かった。
【００９５】
更に、平均血圧も、サンプル区間Ａでは８１．１（ｍｍＨｇ）であったのに対して、サンプル区間Ｂでは７３．３（ｍｍＨｇ）であり、サンプル区間Ａよりもサンプル区間Ｂの方が若干低下している。
【００９６】
次に、本態性高血圧症の成人男子を被験者とし、その被験者の下肢血流（例えば、足の血流）の長時間サンプルを用いて演算されたＳＩの値と、その短時間サンプルを用いて得られたＳＩのトレンドを示す曲線Ｌ５と、血圧（平均動脈圧）の変化を示す曲線Ｌ６と、を表示した表示装置７の表示画面の例を図６に示す。
【００９７】
この場合、図６に示すように、約２時間に亘る測定の結果、声掛けによるストレスを被験者に加えたサンプル区間Ａと、ストレスを加えていない安静なサンプル区間Ｂの両者間のＳＩ値には、有意な差は見られず、又、血圧も高い値で推移したままとなることが分かる。
【００９８】
すなわち、図６に示すように、サンプル区間Ａでは長時間サンプルＳＩの値は３７．１と高く、サンプル区間Ｂでも長時間サンプルＳＩの値は２７．１とかなり高かった。
【００９９】
更に、平均血圧も、サンプル区間Ａでは１１９．５（ｍｍＨｇ）、サンプル区間Ｂでは１１７．２（ｍｍＨｇ）であり、それぞれ高かった。
【０１００】
以上のような知見に基づき、本実施形態に係る生体状態鑑別用装置１の制御部４は、例えば、以下に説明する何れかの手法により、生体の状態を鑑別する。
【０１０１】
（１）ストレスによる自律神経の評価として、安静状態において、短時間サンプルによる頭部血流ＳＩのトレンドが１０以上の高い値で推移する場合、ストレスが過剰であると鑑別する。
【０１０２】
（２）ストレスによる自律神経の評価として、安静状態において、長時間サンプルの頭部血流ＳＩの値が１０以上の高い値の場合、ストレスが過剰であると鑑別する。
【０１０３】
（３）ストレスによる自律神経の評価として、安静状態において、短時間サンプルによる頭部血流ＳＩのトレンドが１０以上の高い値で推移し、且つ、長時間サンプルの頭部血流ＳＩの値が１０以上の高い値の場合、ストレスが過剰であると鑑別する。
【０１０４】
（４）糖尿病及び各種合併症の評価として、安静状態において、短時間サンプルによる頭部血流ＳＩのトレンドが１０以上の高い値で推移する場合、糖尿病及び各種合併症があると鑑別する。
【０１０５】
（５）糖尿病及び各種合併症の評価として、安静状態において、長時間サンプルの頭部血流ＳＩの値が１０以上の高い値の場合、糖尿病及び各種合併症があると鑑別する。
【０１０６】
（６）糖尿病及び各種合併症の評価として、安静状態において、短時間サンプルによる頭部血流ＳＩのトレンドが１０以上の高い値で推移し、且つ、長時間サンプルの頭部血流ＳＩの値が１０以上の高い値の場合、糖尿病及び各種合併症があると鑑別する。
【０１０７】
（７）高血圧症・糖尿病の評価として、安静状態において、短時間サンプルによる下肢血流ＳＩのトレンドが２５以上の高い値で推移する場合、高血圧症・糖尿病であると鑑別する。
【０１０８】
（８）高血圧症・糖尿病の評価として、安静状態において、長時間サンプルの上下肢血流ＳＩの値が２５以上の高い値の場合、高血圧症・糖尿病であると鑑別する。
【０１０９】
（９）高血圧症・糖尿病の評価として、安静状態において、短時間サンプルによる下肢血流ＳＩのトレンドが２５以上の高い値で推移し、且つ、長時間サンプルの上下肢血流ＳＩの値が２５以上の高い値の場合、高血圧症・糖尿病であると鑑別する。
【０１１０】
（１０）動脈硬化症や虚血肢の評価として、安静状態において、短時間サンプルによる上下肢血流ＳＩのトレンドが５以下の低い値で推移する場合、動脈硬化症や虚血肢であると鑑別する。
【０１１１】
（１１）動脈硬化症や虚血肢の評価として、安静状態において、長時間サンプルの下肢血流ＳＩの値が５以下の低い値の場合、動脈硬化症や虚血肢であると鑑別する。
【０１１２】
（１２）動脈硬化症や虚血肢の評価として、安静状態において、短時間サンプルによる上下肢血流ＳＩのトレンドが５以下の低い値で推移し、且つ、長時間サンプルの下肢血流ＳＩの値が５以下の低い値の場合、動脈硬化症や虚血肢であると鑑別する。
【０１１３】
なお、過度の交感神経刺激による高血圧症や動脈硬化症による虚血肢などの鑑別には、無侵襲で上下肢の細動脈血流を測定して得られる測定値を用いて行うことが好ましい。
【０１１４】
また、上下肢の細動脈血流の測定結果を用いて演算されたＳＩによる高血圧症や動脈硬化症の鑑別以外の鑑別には、頭部血流の安定化の機序により、頭部血流を記録・解析することにより、生体のストレスの病態の鑑別を行うことが好ましい。
【０１１５】
次に、図７及び図８、並びに、図９及び図１０を参照して、再現性良く血流量を測定することが可能なレーザ血流計２のセンサ部１０の構造の２つの適例を説明する。
【０１１６】
上記のように、レーザ血流計２のセンサ部１０の装着圧力の加減により、サンプルボリューム内の組織血液量は変化してしまうが、以下に説明するように、装着圧力を所定圧力とするための加圧機構を備えるセンサ部１０を用いることにより、再現性良く血流量を測定することが可能となる。
【０１１７】
図７及び図８は、例えば耳朶２３などの生体組織に挟持されるタイプの前方散乱型のセンサ部１０を示す図であり、頭部血流を測定するため生体組織（例えば耳朶２３）に装着された状態を示す。このうち図７は斜視図、図８は側断面図である。
【０１１８】
以下、図７及び図８に示すセンサ部１０について詳述する。
【０１１９】
図８に示すように、センサ部１０は、相互に連結された第１及び第２の部分２１，２２を備え、これら第１及び第２の部分２１，２２により生体組織の一部（例えば、耳朶２３）を挟持できるようになっている。すなわち、第１及び第２の部分２１，２２は挟持部を構成している。
【０１２０】
第１及び第２の部分２１，２２は、例えば、雄ねじなどの止着材３０が、第１の部分２１に形成された長孔３１を介して第２の部分２２に通される（例えば、螺入される）ことにより、相互に連結されている。
【０１２１】
第１の部分２１の内部には、生体組織にレーザ光Ｌを照射するレーザ光源２５が備えられている。レーザ光源２５は、例えば、レーザダイオードからなり、例えば、波長０．５μm以上１．３μm以下程度の縦単一モードのレーザ光Ｌを照射する。
【０１２２】
第２の部分２２の内部には、レーザ光源２５より照射されるレーザ光Ｌが生体組織内で散乱することによって生じる散乱光Ｓを検出するフォトダイオード（検出手段）２６が備えられている。
【０１２３】
第１の部分２１には、レーザ光源２５からのレーザ光Ｌを外部に出力させる出力窓２７が形成され、第２の部分２２において出力窓２７と向き合う位置には生体組織からの散乱光Ｓを第２の部分２２内に導入させる導入窓２８が形成されている。
【０１２４】
更に、例えば、第１の部分２１には、第１及び第２の部分２１，２２により挟持された生体組織を所定圧力で加圧する加圧機構２４が設けられている。
【０１２５】
なお、加圧機構２４は、第２の部分２２に設けても良いし、或いは、第１及び第２の部分２１，２２の双方に加圧機構を設けても良い。
【０１２６】
加圧機構２４は、例えば、出力窓２７に固定された透明プラスチック板３２と、周縁部がこの透明プラスチック板３２の表面に固定された膨張部３３と、この膨張部３３と透明プラスチック板３２との間の空間に空気を供給するインフレーター供給管２９と、を備えて構成されている。
【０１２７】
膨張部３３は、透明軟質シート（透明軟質ビニールシート或いは透明軟質プラスチックシートなど）からなる。
【０１２８】
膨張部３３の表面は、第１及び第２の部分２１，２２により生体組織を挟持した際に該生体組織の表皮に接する。
【０１２９】
このような構成の図７及び図８に示すセンサ部１０は、以下のように用いられる。
【０１３０】
先ず、長孔３１内における止着材３０の位置を調節することにより、第１の部分２１と第２の部分２２とにより耳朶などの生体組織を挟持できるように、第１及び第２の部分２１，２２の相互間の距離を適宜に調節する。
【０１３１】
次に、第１及び第２の部分２１，２２において、出力窓２７及び導入窓２８が形成された部分により、血流の測定対象の生体組織（耳朶２３など）を挟持する。或いは、出力窓２７及び導入窓２８が形成された部分の間隔に、血流の測定対象の生体組織を位置させる。
【０１３２】
次に、インフレーター供給管２９を介して適正量の空気を膨張部３３と透明プラスチック板３２との間の空間に供給し、この空間の圧力を適正な圧力に加圧することにより、膨張部３３を適正な大きさに膨張させる。これにより、膨張部３３の表面と第２の部分２２の導入窓２８との間の距離が適正な距離に調整され、従って、第１及び第２の部分２１，２２に挟持された生体組織が適正な圧力に加圧される。
【０１３３】
この状態で、第１の部分２１内のレーザ光源２５からレーザ光Ｌを発し、このレーザ光Ｌを出力窓２７、透明プラスチック板３２及び膨張部３３を介して生体の表皮下の生体組織内に出力し、該生体組織内でレーザ光Ｌを前方散乱させ、その散乱光Ｓを導入窓２８を介して第２の部分２２内に導入してフォトダイオード２６により検出し、従来周知のレーザ血流計と同様に、光ドップラシフト効果により血流量を測定する。
【０１３４】
なお、出力窓２７、透明プラスチック板３２、膨張部３３及び導入窓２８は何れも透明であり、レーザ光Ｌ（及び散乱光Ｓ）を妨げない。
【０１３５】
このように、図７及び図８に示すタイプのセンサ部１０を用いると、例えば耳朶２３などの生体組織を挟持するとともに、その生体組織に加わる圧力を加圧機構２４により所定の圧力に加圧した状態で、その生体組織の血流量を測定できるため、生体組織内の血流条件を常に一定にして測定を行うことが可能となる。よって、再現性よく血流量を測定することができる。
【０１３６】
次に、図９は、生体の一部（例えば指４１など）に巻き付けられるタイプの後方散乱型のセンサ部１０の斜視図であり、手の指４１に装着された状態を示す。また、図１０は、図９に示すセンサ部１０のバンド状体４２を開いた状態を示す斜視図である。
【０１３７】
以下、図９及び図１０に示すセンサ部１０について詳述する。
【０１３８】
図１０に示すように、センサ部１０は、生体の一部（例えば指４１など）に巻き付けられるバンド状体４２と、加圧機構４３と、レーザ光源やフォトダイオード（図示略）を備える本体部４４と、を備えている。
【０１３９】
バンド状体４２は、該バンド状体４２を生体の一部に巻き付けた際に外側となる面に面ファスナー（図示略）を備えている。従って、この面ファスナーにより、バンド状体４２を図９に示すように生体の一部に巻き付けた状態で固定したり、生体の一部に巻き付けた状態でのバンド状体４２の外周の長さを指４１などの太さに応じて調節したりできるようになっている。
【０１４０】
加圧機構４３は、バンド状体４２に設けられた膨張部４７と、この膨張部４７の内部に空気を供給するインフレーター供給管４８と、を備えて構成されている。
【０１４１】
膨張部４７は、透明軟質材（透明軟質ビニール或いは透明軟質プラスチックなど）からなる袋状のものである。
【０１４２】
この膨張部４７は、図１０に示すように、バンド状体４２において、該バンド状体４２を生体の一部に巻き付けた際に該生体の一部の表皮側に接する面（バンド状体４２において内側となる面）に設けられている。
【０１４３】
更に、本体部４４は、図１０に示すように、上述した図７及び図８に示すタイプのセンサ部１０における出力窓２７及び導入窓２８に相当する機能を担う出力／導入窓４５を備えている。
【０１４４】
この出力／導入窓４５は、図１０に示すように、バンド状体４２に形成された開口４６を介して、膨張部４７が設けられている面から露出している。
【０１４５】
この出力／導入窓４５において、本体部４４内のレーザ光源と対応する部位は出力部、本体部４４内のフォトダイオードと対応する部位は導入部を構成している。
【０１４６】
このような構成の図９及び図１０に示すセンサ部１０は、以下のように用いられる。
【０１４７】
先ず、膨張部４７及び出力／導入窓４５が、例えば、指４１に接するように、バンド状体４２を指４１に巻き付け、面ファスナーで固定する。
【０１４８】
次に、インフレーター供給管４８を介して適正量の空気を膨張部４７内に供給し、この膨張部４７内の圧力を適正な圧力に加圧することにより、膨張部４７を適正な大きさに膨張させる。これにより、バンド状体４２が巻かれた指４１の生体組織が適正な圧力に加圧される。
【０１４９】
この状態で、本体部４４内のレーザ光源からレーザ光を発し、このレーザ光を出力／導入窓４５の出力部を介して生体の表皮下の生体組織内に出力し、該生体組織内で後方散乱させ、その散乱光を出力／導入窓４５の導入部を介して本体部４４内に導入してフォトダイオードにより検出し、従来周知のレーザ血流計と同様に、光ドップラシフト効果により、表皮下の微少循環組織における血流量を測定する。
【０１５０】
なお、出力／導入窓４５は透明であり、レーザ光（及び散乱光）を妨げない。
【０１５１】
このように、図９及び図１０に示すタイプのセンサ部１０を用いると、例えば指４１などの生体組織を挟持するとともに、その生体組織に加わる圧力を、加圧機構４３により所定の圧力に加圧した状態で、その生体組織の血流量を測定できるため、生体組織内の血流条件を常に一定にして測定を行うことが可能となる。よって、再現性よく血流量を測定することができる。
【０１５２】
なお、センサ部１０において、生体組織の表皮に接する部分を両面テープにより該表皮に接着することにより、一層測定条件を一定化することができ、より安定的に測定を行うことができる。
【０１５３】
また、図７及び図８に示すセンサ部１０、並びに、図９及び図１０に示すセンサ部１０は、それぞれ特徴的な構成のみを図示及び説明したに過ぎない。
【０１５４】
具体的には、図７及び図８に示すセンサ部１０は、特開２００５−１９２８０７号公報に記載された前方散乱型のレーザ血流計のように、生体組織からの散乱光を集光してフォトダイオード２６により検出させる集光部材や、この集光部材により集光された散乱光をフォトダイオード２６へと導光する導光部材を備えることが好ましい。
【０１５５】
また、図９及び図１０に示すセンサ１０は、特開２００５−１９２８０７号公報に記載された後方散乱型のレーザ血流計のように、レーザー光源から照射されるレーザー光を生体組織側に反射させる第１の反射板や、生体組織からの散乱光を集光してフォトダイオードにより検出させる集光部材や、生体組織からの散乱光を集光部材側へと反射させる第２の反射板や、集光部材により集光された散乱光をフォトダイオードへと導光する導光部材や、レーザ光源が配置された第１の配置領域から第２の反射板、集光部材、導光部材が配置された第２の配置領域へとレーザ光が直接的に到達することを遮蔽する遮蔽板などを備えていることが好ましい。
【０１５６】
以上のような実施形態によれば、制御部４により演算されたＳＤ／Ｍｅａｎと相関のあるパラメータ（ＳＩ）を用いて、生体の状態（ストレス過剰であるかどうか、糖尿病であるかどうか、糖尿病に合併症を併発しているかどうか、糖尿病又は高血圧症であるかどうか、動脈硬化症又は虚血肢であるかどうかなど）を鑑別することができるので、被験体（被験者など）によらず、定量的に生体状態を鑑別することが可能である。
【０１５７】
なお、上記の実施形態では、測定された血流量のデータに基づき演算されたＳＩを用いて、制御部４が生体の状態の鑑別を行う例を説明したが、ＳＩを用いて、医師などの鑑別者が鑑別を行うようにしても良い。具体的には、制御部４により演算されたＳＩや、そのＳＩのトレンド曲線を表示装置７に表示することにより、鑑別者は、表示内容から生体の状態の鑑別を行うことができる。或いは、演算されたＳＩや、そのＳＩのトレンド曲線をプリンタにより帳票出力することにより、その出力内容（印刷内容）から、鑑別者が生体の状態の鑑別を行うことができる。すなわち、本発明においては、制御部４が生体の状態の鑑別を行う構成は必須構成ではなく、また、演算されたＳＩや、そのＳＩのトレンド曲線（ＳＩを加工して得られるデータ）を表示装置７に表示させる構成も必須構成ではない。
【０１５８】
また、上記の実施形態では、生体状態鑑別用装置１が血流量測定手段としてのレーザ血流計２を備える例を説明したが、血流量測定手段（レーザ血流計２など）は生体状態鑑別用装置１の外部の構成であっても良い。
【０１５９】
また、生体の状態を鑑別する手法は、上記の実施形態で説明した例に限らない。具体的には、例えば、頭部の血流量の測定値から演算されるＳＩを、術中や術後管理のＩＣＵ（集中治療部）やＣＣＵ（冠疾患集中治療部）の他、出産時や新生児管理のＮＩＣＵにおいて患者の状態の重篤度を鑑別するためのパラメータとして用いることができる。
【０１６０】
また、上記の実施形態では、ＳＤ／Ｍｅａｎに１００を乗算することにより百分率で表したパラメータ（ＳＩ）に基づいて生体の状態を鑑別する例を説明したが、ＳＤ／Ｍｅａｎと相関のあるパラメータであればその他のパラメータを用いても、同様に、生体の状態を鑑別することができる。また、そのパラメータとＳＤ／Ｍｅａｎとの相関は、正の相関に限らず、負の相関であっても良い。
【図面の簡単な説明】
【０１６１】
【図１】実施形態に係る生体状態鑑別用装置の構成を示すブロック図である。
【図２】生体状態鑑別用装置の制御部の動作の流れを示すフローチャートである。
【図３】生体状態鑑別用装置の表示装置の表示画面における表示の例を示す図である。
【図４】生体状態鑑別用装置の表示装置の表示画面における表示の例を示す図である。
【図５】生体状態鑑別用装置の表示装置の表示画面における表示の例を示す図である。
【図６】生体状態鑑別用装置の表示装置の表示画面における表示の例を示す図である。
【図７】生体状態鑑別用装置に備えられるレーザ血流計のセンサ部の好適な一例を示す斜視図である。
【図８】図７のセンサ部の側断面図である。
【図９】生体状態鑑別用装置に備えられるレーザ血流計のセンサ部の他の好適な一例を示す斜視図である。
【図１０】図９のセンサ部のバンド状体を開いた状態を示す斜視図である。
【符号の説明】
【０１６２】
１    生体状態鑑別用装置
２    レーザ血流計（血流量測定手段）
４    制御部（演算手段、鑑別手段）
７    表示装置（表示装置）
２１  第１の部分（挟持部を構成する）
２２  第２の部分（挟持部を構成する）
２４  加圧機構
２５  レーザ光源
２６  フォトダイオード（検出手段）
４２  バンド状体
４３  加圧機構
【図１】
2008154804.tif 000003
【図２】
2008154804.tif 000004
【図３】
2008154804.tif 000005
【図４】
2008154804.tif 000006
【図５】
2008154804.tif 000007
【図６】
2008154804.tif 000008
【図７】
2008154804.tif 000009
【図８】
2008154804.tif 000010
【図９】
2008154804.tif 000011
【図１０】
2008154804.tif 000012